(57)【要約】【課題】コンタクトを絶縁本体に安定して保持できる電気コネクタを提供する。【解決手段】本考案の電気コネクタは、外部に連通する収容溝と前記収容溝に連通する係止孔とが形成される絶縁本体と、前記絶縁本体の収容溝に保持される本体部と前記本体部の一端に設けられる圧着部と前記本体部の他端から延出して相手コネクタのコンタクトに接続する接点を有する接続部とを含む複数のコンタクトと、を含む電気コネクタにおいて、前記コンタクトの接続部は、Ｕ字状を呈するように、本体部の一端から延出する略平行な一対の延出アームと、前記延出アームの先端から本体部に向かって延出する略平行な一対の反転アームと、を備え、前記絶縁本体に、前記延出アームと反転アームとの少なくとも一方が挟まれ前記収容溝に突出した突状リブが配置される。【選択図】図５
0003173283.tif 000002
【実用新案登録請求の範囲】
【請求項１】
外部に連通する収容溝と前記収容溝に連通する係止孔とが形成される絶縁本体と、
前記絶縁本体の前記収容溝に保持される本体部と前記本体部の一端に設けられる圧着部と前記本体部の他端から延出して相手コネクタのコンタクトに接続する接点を有する接続部とを含む複数のコンタクトと、
を含む電気コネクタにおいて、
前記コンタクトの前記接続部は、Ｕ字状を呈するように、前記本体部の一端から延出する略平行な一対の延出アームと、前記延出アームの先端から前記本体部に向かって延出する略平行な一対の反転アームと、を備え、
前記絶縁本体に、前記延出アームと前記反転アームとの少なくとも一方が挟まれ、前記収容溝に突出した突状リブが配置されることを特徴とする電気コネクタ。
【請求項２】
前記一対の延出アームには、互いに対向し相手コネクタのコンタクトが挿入可能な一対の前記接点が設けられることを特徴とする請求項１に記載の電気コネクタ。
【請求項３】
前記突状リブは、一対の前記反転アームの間に挟まれることを特徴とする請求項１又は２に記載の電気コネクタ。
【請求項４】
前記一対の反転アームの先端部には、予め互いに結合されて結合部が形成され、前記結合部には係合弾性部が折れ曲がるように形成され、前記絶縁本体には前記収容溝に連通して、前記係合弾性部に係合するための係止孔が設けられることを特徴とする請求項１から３のいずれか一項に記載の電気コネクタ。
【請求項５】
前記コンタクトの前記本体部に弾性突起からなるランスが設けられ、前記絶縁本体には前記収容溝に連通して前記ランスを係止する貫通孔が設けられることを特徴とする請求項１から４のいずれか一項に記載の電気コネクタ。
【考案の詳細な説明】
【技術分野】
【０００１】
本考案は、電気コネクタに関し、特に、コンタクトの構造が改善されている電気コネクタに関するものである。
【背景技術】
【０００２】
近年の小型化した携帯用電子機器、例えば、ＤＳＣ（Ｄｉｇｉｔａｌ  Ｓｔｉｌｌ  Ｃａｍｅｒａ）や携帯電話機、ＣＤプレイヤー又はＭＤプレイヤーなどには、バッテリーが内蔵されている。このバッテリー電源を前記電子機器に備わる回路基板（プリント基板）に供給するために、極小型、いわゆるチップサイズパッケージ型のワイヤー・トゥー・ボード・コネクタ（Ｗｉｒｅ  ｔｏ  Ｂｏａｒｄ  Ｃｏｎｎｅｃｔｏｒ）が用いられている。
【０００３】
従来技術の電気コネクタは、特許文献１に示すように、絶縁本体と、該絶縁本体に保持される複数のコンタクトと、を含み、絶縁本体にコンタクトを収容するための端子溝が形成され、各コンタクトは、ケーブルに接続する長尺状の圧着部と、圧着部の基端側に設けられ、相手コネクタのコンタクトに接続する接続部と、を備える。コンタクトの底部に弾性突起としてのランスが形成され、絶縁本体の端子溝に係合穴が形成され、前記ランスが係合穴に係止されることにより、絶縁本体の端子溝から抜け出すのを防止できる。
【先行技術文献】
【特許文献】
【０００４】
【特許文献１】米国特許第７１１８４２４号明細書
【考案の概要】
【考案が解決しようとする課題】
【０００５】
しかしながら、コンタクトは、前記ランスが絶縁本体の係合穴に係止されることだけにより、絶縁本体に保持されるので、使用者の抜き出す力が過度に大きい場合に、コンタクトが絶縁本体の端子溝から離脱する恐れがあった。
【０００６】
本考案は、コンタクトを絶縁本体に安定して保持できる電気コネクタを提供することを目的とする。
【課題を解決するための手段】
【０００７】
本考案の電気コネクタは、外部に連通する収容溝と前記収容溝に連通する係止孔とが形成される絶縁本体と、前記絶縁本体の収容溝に保持される本体部と前記本体部の一端に設けられる圧着部と前記本体部の他端から延出して相手コネクタのコンタクトに接続する接点を有する接続部とを含む複数のコンタクトと、を含む電気コネクタにおいて、前記コンタクトの接続部は、Ｕ字状を呈するように、本体部の一端から延出する略平行な一対の延出アームと、前記延出アームの先端から本体部に向かって延出する略平行な一対の反転アームと、を備え、前記絶縁本体に、前記延出アームと反転アームとの少なくとも一方が挟まれ前記収容溝に突出した突状リブが配置されることを特徴とする。
【考案の効果】
【０００８】
従来技術に比べ、本考案の電気コネクタは以下の利点を有し、前記絶縁本体に、前記延出アームと反転アームとの少なくとも一方が挟まれ前記収容溝に突出した突状リブが配置されるので、コンタクトが絶縁本体に対して回転することを防止でき、コンタクトを確実に位置決めできる。
【図面の簡単な説明】
【０００９】
【図１】本考案に係る電気コネクタの組立斜視図である。
【図２】本考案に係る電気コネクタの分解斜視図である。
【図３】図２に示す電気コネクタのほかの角度から見た分解斜視図である。
【図４】図３に示す電気コネクタのほかの角度から見た分解斜視図である。
【図５】図１に示すА‐А線に沿った断面図である。
【図６】図１に示すＢ‐Ｂ線に沿った断面図である。
【考案を実施するための形態】
【００１０】
以下、図１〜図６を参照し、本考案の電気コネクタ１００の実施形態について説明する。電気コネクタ１００は、絶縁本体１と、絶縁本体１に保持される複数のコンタクト２と、を含む。
【００１１】
前記絶縁本体１は、先端壁１３と、先端壁１３に連接して対向するように配置される天板１１及び底板１２と、を含み、絶縁本体１には、前記先端壁１３を貫通してコンタクト２を収容するための収容溝１０が設けられる。前記天板１１には収容溝１０に連通する貫通孔１１０が設けられ、前記底板１２にも収容溝１０に連通する係止孔１２０が形成され、また、底板１２には収容溝１０に突出する突状リブ１２１が設けられる。
【００１２】
コンタクト２は、導電性の金属板を打ち抜くように成形され、収容溝１０に保持される本体部２０と、本体部２０の一端でケーブル（図示せず）に接続する圧着部２２と、本体部２０の他端が相手コネクタのコンタクトに接続するための接続部２９と、を含む。接続部２９は、Ｕ字状を呈するように、本体部２０から延出する略平行な一対の延出アーム２１と、延出アーム２１の先端から本体部２０に向かって延出し、かつ先端同士が結合された略平行な一対の反転アーム２３と、を備えている。そして、一対の延出アーム２１には、互いに対向し相手コネクタのコンタクトが挿入可能な一対の接点２６が形成される。
【００１３】
一対の反転アーム２３の先端部は、予め互いに結合されて結合部２３１が形成され、折り曲げ加工により一対の反転アーム２３が形成される。結合部２３１において、前記底板１２の係止孔１２０に係止される係合弾性部２４が折れ曲がるように延出し、係合弾性部２４は、係止孔１２０に係止されることによりコンタクト２が収容溝１０から抜け出すのを防止している。本体部２０には、前記絶縁本体１の天板１１に形成された貫通孔１１０に係止されるランス２７が突出して設けられ、弾性突起からなるランス２７は、収容溝１０に連通して外面に開口している貫通孔１１０に係止されており、コンタクト２が収容溝１０から抜け出すのを防止している。
【００１４】
ケーブルに接続する圧着部２２は、ケーブルの被覆部を圧着するインシュレーショングリップ２２０と、ケーブルの芯線を圧着するコンダクタグリップ２２１と、を備えている。
【００１５】
一対の接点２６間に相手側コンタクトが挿入されると、一対の接点２６が押し広げられる。つまり、一対の延出アーム２１及び反転アーム２３の折り返し部２５側が押し広げられる。一対の延出アーム２１及び反転アーム２３の折り返し部２５側と反対側とは、互いに結合されているので、弾性力により相手側コンタクトの両面に適切な接触力を加えることができる。
【００１６】
組み合わせる時に、コンタクト２は、絶縁本体１の収容溝１０に折り返し部２５側から挿入され、挿入する過程において、コンタクト２の係合弾性部２４とランス２７とが収容溝１０の内壁に当接して変形して、最終的に、係合弾性部２４が絶縁本体１の係止孔１２０に係合して、ランス２７が絶縁本体１の貫通孔１１０に係止されて、これによって、コンタクト２が絶縁本体１の収容溝１０に安定して保持され、コンタクト２が収容溝１０から抜け出すのを防止できる。
【００１７】
また、組み合わせた場合に、絶縁本体１の底板１２に突出するように形成された突状リブ１２１は、コンタクト２の一対の反転アーム２３の間に位置し、相手コンタクトを挿入しない時に、突状リブ１２１が一対の反転アーム２３に挟まれ、これによって、コンタクト２が絶縁本体１に対して回転することを防止でき、コンタクト２を確実に位置決めできる。
【００１８】
以上、本考案について最良の実施の形態を参照して詳細に説明したが、実施形態はあくまでも例示的なものであり、これらに限定されない。また上述の説明は、本考案に基づきなしうる細部の修正或いは変更など、いずれも本考案の請求範囲に属するものとする。
【符号の説明】
【００１９】
１００  電気コネクタ
１  絶縁本体
１０  収容溝
１１０  貫通孔
１２０  係止孔
１２１  突状リブ
２  コンタクト
２０  本体部
２１  延出アーム
２２  圧着部
２３  反転アーム
２４  係合弾性部
２５  折り返し部
２６  接点
２７  ランス
２９  接続部
【図１】
0003173283.tif 000003
【図２】
0003173283.tif 000004
【図３】
0003173283.tif 000005
【図４】
0003173283.tif 000006
【図５】
0003173283.tif 000007
【図６】
0003173283.tif 000008